【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
ハウジングと、
ユーザ入力エレメントであって、前記ハウジングとの第１の接触が前記ユーザ入力エレメントの第１の移動の第１の最大レンジを定義するように前記ハウジング内に配置される、ユーザ入力エレメントと、
前記ユーザ入力エレメントに結合された位置センサであって、前記第１の最大レンジ内の前記ユーザ入力エレメントの位置を検出するように構成され、前記位置をプロセッサに送信するようにさらに構成された、位置センサと、
前記ハウジング内に設置され、前記ユーザ入力エレメントに結合された、ハプティック出力デバイスであって、前記プロセッサからハプティック効果定義を受信するように構成され、受信した前記ハプティック効果定義に応じて前記ユーザ入力エレメントへの力を出力するようにさらに構成された、ハプティック出力デバイスと、
前記ユーザ入力エレメントの前記第１の移動の第１の減少レンジを定義するハプティック減少防止コンポーネントであって、前記第１の減少レンジは、前記第１の最大レンジ未満であり、前記ハウジングとの前記第１の接触を防止する、ハプティック減少防止コンポーネントと
を含み、
前記ハプティック減少防止コンポーネントは、前記位置センサによって検出された前記ユーザ入力エレメントの前記位置に応じて前記ユーザ入力エレメントへの力のマグニチュードを修正するように構成される、
周辺機器。
【請求項２】
前記ハプティック減少防止コンポーネントは、スプリングを含み、
前記スプリングは、前記ユーザ入力エレメントと前記ハウジングとの間に開延長トラベルレンジがあるような位置に前記ユーザ入力エレメントを維持する
請求項１記載の周辺機器。
【請求項３】
前記スプリングは、圧縮スプリングまたは片持スプリングの少なくとも一方を含む、請求項２記載の周辺機器。
【請求項４】
前記ユーザ入力エレメントは、前記ハウジングとの第２の接触が前記ユーザ入力エレメントの第２の移動の第２の最大レンジを定義するように前記ハウジング内に配置され、
前記ハプティック減少防止コンポーネントは、前記ユーザ入力エレメントの前記第２の移動の第２の減少レンジを定義し、前記第２の減少レンジは、前記第２の最大レンジ未満であり、前記ハウジングとの前記第２の接触を防止する、
請求項１記載の周辺機器。
【請求項５】
前記力は、運動感覚ハプティック効果として前記ハプティック出力デバイスから前記ユーザ入力エレメントに伝達される、請求項１記載の周辺機器。
【請求項６】
前記ハプティック出力デバイスは、アクチュエータを含む、請求項１記載の周辺機器。
【請求項７】
前記アクチュエータは、双方向押／引力を及ぼすように構成されたモータを含む、請求項６記載の周辺機器。
【請求項８】
前記ハプティック効果定義は、前記ユーザ入力エレメントの前記位置に応じて前記プロセッサにより生成される、請求項１記載の周辺機器。
【請求項９】
前記ユーザ入力エレメントは、トリガであり、前記ユーザ入力エレメントの前記第１の移動は、前記トリガを、閉位置での前記ハウジングへの最大距離移動することである、請求項１記載の周辺機器。
【請求項１０】
前記ユーザ入力エレメントは、トリガであり、前記ユーザ入力エレメントの前記第２の移動は、開位置での前記ハウジングの最大距離外である、請求項４記載の周辺機器。
【請求項１１】
プロセッサにより実行されると前記プロセッサにユーザ入力エレメントで経験されるハプティック効果を修正させる命令が記憶された、非一時的コンピュータ可読媒体であって、修正するステップは、
位置センサから、周辺機器の第１の最大レンジ内のユーザ入力エレメントの位置を受信するステップであって、前記周辺機器は、ハウジングと、ユーザ入力エレメントと、前記ハウジング内に設置され、かつ前記ユーザ入力エレメントに結合されたハプティック出力デバイスと、ハプティック減少防止コンポーネントとを含む、ステップと、
受信した前記ユーザ入力エレメントの位置に応じて前記ハプティック出力デバイスにハプティック効果定義を送信するステップと、
前記ハプティック出力デバイスに、前記ハプティック効果定義に応じて前記周辺機器の前記ユーザ入力エレメントへの力を出力させるステップと、
を含み、
前記ユーザ入力エレメントは、前記ハウジングとの第１の接触が前記ユーザ入力エレメントの第１の移動の前記第１の最大レンジを定義するように前記ハウジング内に配置され、
前記ハプティック減少防止コンポーネントは、前記ユーザ入力エレメントの前記第１の移動の第１の減少レンジを定義し、前記第１の減少レンジは、前記第１の最大レンジ未満であり、前記ハウジングとの前記第１の接触を防止し、
前記ハプティック減少防止コンポーネントは、前記位置センサによって検出された前記ユーザ入力エレメントの前記位置に応じて前記ユーザ入力エレメントへの力のマグニチュードを修正するように構成される、
非一時的コンピュータ可読媒体。
【請求項１２】
前記ハプティック減少防止コンポーネントは、スプリングを含み、
前記スプリングは、前記ユーザ入力エレメントと前記ハウジングとの間に開延長トラベルレンジがあるような位置に前記ユーザ入力エレメントを維持する
請求項１１記載の非一時的コンピュータ可読媒体。
【請求項１３】
前記スプリングは、圧縮スプリングまたは片持スプリングの少なくとも一方を含む、請求項１２記載の非一時的コンピュータ可読媒体。
【請求項１４】
前記ユーザ入力エレメントは、前記ハウジングとの第２の接触が前記ユーザ入力エレメントの第２の移動の第２の最大レンジを定義するように前記ハウジング内に配置され、
前記ハプティック減少防止コンポーネントは、前記ユーザ入力エレメントの前記第２の移動の第２の減少レンジを定義し、前記第２の減少レンジは、前記第２の最大レンジ未満であり、前記ハウジングとの前記第２の接触を防止する、
前記ハプティック減少防止コンポーネントは、前記ユーザ入力エレメントの前記第２の移動の第２の減少レンジを定義し、前記第２の減少レンジは、前記第２の最大レンジ未満であり、前記ハウジングとの前記第２の接触を防止する、請求項１１記載の非一時的コンピュータ可読媒体。
【請求項１５】
前記ユーザ入力エレメントは、トリガであり、前記ユーザ入力エレメントの前記第１の移動は、前記トリガを、閉位置での前記ハウジングへの最大距離移動することである、請求項１１記載の非一時的コンピュータ可読媒体。
【請求項１６】
前記ユーザ入力エレメントは、トリガであり、前記ユーザ入力エレメントの前記第２の移動は、開位置での前記ハウジングの最大距離外である、請求項１４記載の非一時的コンピュータ可読媒体。
【請求項１７】
ユーザ入力エレメントで経験されるハプティック効果を修正するためのコンピュータ実施方法であって、
位置センサから、周辺機器の第１の最大レンジ内のユーザ入力エレメントの位置を受信するステップであって、前記周辺機器は、ハウジングと、ユーザ入力エレメントと、前記ハウジング内に設置され、かつ前記ユーザ入力エレメントに結合されたハプティック出力デバイスと、ハプティック減少防止コンポーネントとを含む、ステップと、
受信した前記ユーザ入力エレメントの位置に応じてハプティック効果定義を前記ハプティック出力デバイスに送信するステップと、
前記ハプティック出力デバイスに、前記ハプティック効果定義に応じて前記周辺機器の前記ユーザ入力エレメントへの力を出力させるステップと、
を含み、
前記ユーザ入力エレメントは、前記ハウジングとの第１の接触が前記ユーザ入力エレメントの第１の移動の前記第１の最大レンジを定義するように前記ハウジング内に配置され、
前記ハプティック減少防止コンポーネントは、前記ユーザ入力エレメントの前記第１の移動の第１の減少レンジを定義し、前記第１の減少レンジは、前記第１の最大レンジ未満であり、前記ハウジングとの前記第１の接触を防止し、
前記ハプティック減少防止コンポーネントは、前記位置センサによって検出された前記ユーザ入力エレメントの前記位置に応じて前記ユーザ入力エレメントへの力のマグニチュードを修正するように構成される、
コンピュータ実施方法。
【請求項１８】
前記ユーザ入力エレメントは、トリガであり、前記ユーザ入力エレメントの前記第１の移動は、前記トリガを、閉位置での前記ハウジングへの最大距離移動することである、請求項１７記載のコンピュータ実施方法。
【請求項１９】
前記ユーザ入力エレメントは、トリガであり、前記ユーザ入力エレメントの前記第１の移動は、開位置での前記ハウジングの最大距離外である、請求項１７記載のコンピュータ実施方法。
【請求項２０】
前記ハプティック減少防止コンポーネントは、スプリングを含み、
前記スプリングは、前記ユーザ入力エレメントと前記ハウジングとの間に開延長トラベルレンジがあるような位置に前記ユーザ入力エレメントを維持する
請求項１７記載のコンピュータ実施方法。
【請求項２１】
前記ユーザ入力エレメントは、ボタン、バンパ、アナログスティック、デジタルスティック、ハンドルまたは回転可能なトリガのうちの１つを含む、請求項１記載の周辺機器。
【請求項２２】
前記ハプティック減少防止コンポーネントは、前記ユーザ入力エレメントが前記第１の最大レンジおよび第２の最大レンジの各々に配置されるときに、前記ユーザ入力エレメントがぶつかることを防止するようにさらに構成される、請求項１記載の周辺機器。